(57)【要約】【課題】  洗車機内における貯液タンクの占有スペースを小さくするとともに、貯液タンクに対する液剤の補給を容易に行える洗車機を提供することを目的とする。【解決手段】  被洗浄車両と洗車機本体１０を前後方向に相対移動させながら、複数の貯液タンク５２に貯留された液剤をそれぞれ水により希釈して被洗浄車両へ噴霧して、被洗浄車両の洗車を行う洗車機において、複数の貯液タンク５２は、洗車機内に上下複数段に配置され、最も上段以外の貯液タンク５２Ｂ，５２Ｄは、水平方向に引き出し可能に構成されることにより、上下方向における貯液タンク５２間の間隔を大幅に狭くすることができ、したがって洗車機内における貯液タンク５２の占有スペースを小さくすることができる。【選択図】          図３
2005186820.tif 000002
【特許請求の範囲】
【請求項１】
被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機であって、
前記複数の貯液タンクは、前記洗車機内に上下複数段に配置され、
最も上段以外の貯液タンクは、水平方向に引き出し可能に構成されていること
を特徴とする洗車機。
【請求項２】
被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機であって、
前記複数の貯液タンクは、前記洗車機内に上下複数段に配置され、
最も上段以外の貯液タンクは、前記前後方向とは直角な左右方向に引き出し可能に構成されていること
を特徴とする洗車機。
【請求項３】
各貯液タンクは、液剤の分配を行う分配手段とそれぞれ配管を介して接続され、
各貯液タンクに、貯留している液剤を吸い上げて前記配管を介して前記分配手段へ送る液剤ポンプが設けられ、
最も上段以外の貯液タンクに設けられた前記液剤ポンプおよびその配管は、貯液タンクとともに引き出し可能とされていること
を特徴とする請求項１または請求項２に記載の洗車機。
【発明の詳細な説明】
【技術分野】
【０００１】
本発明は、たとえば給油所に設置され、洗車に使用される洗車機に関するものである。
【背景技術】
【０００２】
従来の洗車機として、たとえば特許文献１が開示されている。
この洗車機は、門型の洗車機の本体を構成する前後の脚部を備えており、この脚部には、上部が開口し、かつ左右方向に長尺の一対の架台が、上下の位置にそれぞれ固着されている。上部および下部の架台内には、洗浄液またはワックス等の洗浄用の溶液を収容するタンクがそれぞれ２個づつ、その長辺部を左右方向に載置されている。
【０００３】
上部架台に設けられた第１上部タンクは、脚部に固着された上部取付け部材に取付けられた第１チューブにより第１上部タンク内の溶液を外部に取り出し、また第１上部タンクに隣接して設けられた第２上部タンクは、上部取付け部材に取付けられた第２チューブにより第２上部タンク内の溶液を攪拌するための空気が供給されており、第３チューブにより第２上部タンクの溶液を外部へ取り出している。
【０００４】
下部架台に設けられた第１下部タンクは、上部架台の下部に設けられた下部取付け部材にバルブを介して取付けられた第４，第５チューブにより第１下部タンクの溶液を外部へ取り出し、また第１下部タンクに隣接して設けられた第２下部タンクは、下部取付け部材にバルブを介して取付けられた第６チューブにより第２下部タンクの溶液を外部へ取り出している。
【特許文献１】実願昭６０−６７４１４号（実開昭６１−１８３２４７号）のマイクロフィルム
【発明の開示】
【発明が解決しようとする課題】
【０００５】
しかし、上記した従来の構成によると、上部架台に設けられた第１上部タンク，第２上部タンクと、下部架台に設けられた第１下部タンク，第２下部タンクとの上下方向の間隔が広く形成されているため、洗車機を構成する前後の脚部内におけるタンクの占有スペースが大きくなるという問題がある。
【０００６】
また、下部架台に設けられた第１下部タンク，第２下部タンクに溶液の補給を行う際、下部架台の上方に第１上部タンク，第２上部タンクを備えた上部架台が設けられているため、無理な姿勢を取る等、第１下部タンク，第２下部タンクに溶液の補給を行うことが困難となる。
【０００７】
また、各タンクに貯留している溶液を吸い上げる液剤ポンプ、および各タンクに貯留された溶液をそれぞれ水により希釈する分配手段等が、各タンク、特に第１下部タンク，第２下部タンクから離れた場所に設置されているため、車両を洗車する際、溶液の効果が出るまでに時間がかかってしまうという問題がある。
【０００８】
そこで本発明は、洗車機内における貯液タンクの占有スペースを小さくするとともに、貯液タンクに対する溶液の補給を容易に行うことができ、また車両を洗車する際に溶液の効果が出るまでの時間を短縮できる洗車機を提供することを目的とする。
【課題を解決するための手段】
【０００９】
前記した目的を達成するために、本発明の請求項１記載の洗車機は、被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機であって、前記複数の貯液タンクは、前記洗車機内に上下複数段に配置され、最も上段以外の貯液タンクは、水平方向に引き出し可能に構成されていることを特徴としたものである。
【００１０】
上記構成によれば、最も上段以外の貯液タンクを水平方向（たとえば左右方向または前後方向等）に引き出し可能とすることにより、各段の貯液タンク間にスペースを必要とすることがなくなり、各段の貯液タンクが上下方向において近接して配置されるため、洗車機内における貯液タンクの占有スペースは小さくなる。また最も上段以外の貯液タンクを水平方向へ移動させることにより、最も上段以外の貯液タンクに対して、無理な姿勢を取ることなく容易に液剤を補給することが可能となる。
【００１１】
また請求項２記載の発明は、被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機であって、前記複数の貯液タンクは、前記洗車機内に上下複数段に配置され、最も上段以外の貯液タンクは、前記前後方向とは直角な左右方向に引き出し可能に構成されていることを特徴としたものである。
【００１２】
上記構成によれば、最も上段以外の貯液タンクを左右方向に引き出し可能とすることにより、各段の貯液タンク間にスペースを必要とすることがなくなり、各段の貯液タンクが上下方向において近接して配置されるため、洗車機内における貯液タンクの占有スペースは小さくなる。また最も上段以外の貯液タンクを左右方向へ移動させることにより、最も上段以外の貯液タンクに対して、無理な姿勢を取ることなく容易に液剤を補給することが可能となる。
【００１３】
また請求項３記載の発明は、請求項１または請求項２に記載の発明であって、各貯液タンクは、液剤の分配を行う分配手段とそれぞれ配管を介して接続され、各貯液タンクに、貯留している液剤を吸い上げて前記配管を介して前記分配手段へ送る液剤ポンプが設けられ、最も上段以外の貯液タンクに設けられた前記液剤ポンプおよびその配管は、貯液タンクとともに引き出し可能とされていることを特徴としたものである。
【００１４】
上記構成によれば、最も上段以外の貯液タンクに設けられた液剤ポンプから前記貯液タンクに伸びている配管を、前記貯液タンクとともに引き出し可能とすることで最短距離に形成されるとともに、上下方向における各貯液タンク間の間隔を狭くすることで分配手段から貯液タンクまでの配管全体の長さを最短距離に形成することにより、液剤を希釈するための水が分配手段へ到達する時間と、各貯液タンクから配管を介して送られてくる液剤が分配手段へ到達する時間との差が減縮される。
【発明の効果】
【００１５】
本発明の洗車機は、最も上段以外の貯液タンクを水平方向に引き出し可能とすることにより、各段の貯液タンク間にスペースを必要とすることがなくなり、各段の貯液タンクを上下方向において近接して配置することが可能となるため、洗車機内における貯液タンクの占有スペースを小さくすることができ、また最も上段以外の貯液タンクに対して、無理な姿勢を取ることなく容易に液剤を補給することができる。
【発明を実施するための最良の形態】
【００１６】
以下に、本発明の実施の形態における洗車機について、図面を参照しながら説明する。
この洗車機は、被洗浄車両（たとえば普通乗用車など。）５と洗車機本体１０を前後方向に相対移動させながら、複数の貯液タンク５２に貯留された液剤Ｂ，Ｃ，Ｄをそれぞれ水により希釈して被洗浄車両５へ噴霧して、被洗浄車両５の洗車を行うものである。
【００１７】
図１に示すように、門形の洗車機本体１０は複数個の車輪１１を介してレール１上に載置されており、走行駆動装置（図示せず。）の作動により一定経路上で往復走行される。洗車機本体１０には、被洗浄車両５の洗浄手段として、第１洗浄水ノズル１２と、第１洗剤ノズル（希釈液剤用ノズルの一例）１３と、第２洗浄水ノズル１４と、撥水コート剤ノズル（希釈液剤用ノズルの一例）１５と、第２洗剤ノズル（希釈液剤用ノズルの一例）１６と、ワックスノズル（希釈液剤用ノズルの一例）１７とが、前部から後部に亘って、この順で配設されている。ここで各ノズル１２〜１７は、たとえばアーチ状に構成されている。また、洗車機本体１０の前面（被洗浄車両５を停止させる側）には、希望する洗車コース（洗車条件）を設定するための操作パネル６０が設けられている。
【００１８】
そして洗車機本体１０には、被洗浄車両５の乾燥手段として、トップノズル（図示せず。）、左右一対のサイドノズル１９、ならびに両ノズル１９に同時に連通して風を供給する左右一対のブロワ装置２０が設けられる。さらに洗車機本体１０には、被洗浄車両５のブラッシング手段として、サイドブラシ２１やロッカーブラシ２２やトップブラシ２３が配設されている。
【００１９】
図２に示すように、前記洗車機本体１０には分配手段（水パネル）２５が設けられ、この分配手段２５は、弁群の制御などによって、前記各ノズル１２〜１７へ分水供給するものである。すなわち前記分配手段２５は、地上側の水供給手段２６に主給水ホース（水配管の一例）２９を介して接続されている。前記水供給手段２６は、貯水タンク２７と、この貯水タンク２７内に配設される水中ポンプ２８などからなり、この水中ポンプ２８に前記主給水ホース２９の始端が接続されている。
【００２０】
前記主給水ホース２９からは、前記各ノズル１２〜１７に接続される副給水ホース３２〜３７が分岐され、これら副給水ホース３２〜３７中には電磁式の開閉弁４２〜４７が設けられている。そして各ノズル１２〜１７のうち、水Ｗのみを噴射させる洗浄水ノズル１２，１４を除く希釈液剤用のノズル１３，１５〜１７、つまり液剤を水Ｗにより希釈した希釈液剤を被洗浄車両５に対して噴射する希釈液剤用のノズル１３，１５〜１７に対応して、それぞれ同様な構成の液剤供給手段５０が接続されている。
【００２１】
すなわち、希釈液剤用のノズル１３，１５〜１７に対応して、前記開閉弁４３，４５〜４７の下手において副給水ホース（水配管の一例）３３，３５〜３７中には、それぞれサイフォンインジェクター５１が設けられている。そして、貯液タンク５２（５２Ａ〜５２Ｄ）と、この貯液タンク５２から前記サイフォンインジェクター５１に亘って設けられる配管５３と、この配管５３中に設けられる液剤ポンプ５４と、この液剤ポンプ５４の下手において前記配管５３中に設けられる逆止弁（液剤の流出を防止する手段の一例）５５とが設けられる。
【００２２】
各逆止弁５５によって、前記配管５３中に空気取り込み孔５６が形成されることになり、以て前記サイフォンインジェクター５１の吸引が液剤ポンプ５４の噴出量を超えたとき空気Ａを取り込み可能に構成されている。
【００２３】
ここで、希釈液剤用のノズル１３に対応する貯液タンク５２Ａには液剤として液状の洗剤Ｂ、希釈液剤用のノズル１５に対応する貯液タンク５２Ｂには液剤として液状の撥水コート剤Ｃ、希釈液剤用のノズル１６に対応する貯液タンク５２Ｃには液剤として液状の洗剤Ｂ、希釈液剤用のノズル１７に対応する貯液タンク５２Ｄには液剤として液状のワックスＤが貯えられている。なお、前記各液剤としては、原液もしくは所定濃度に希釈されたものが適宜用いられる。以上の５１〜５６などにより、液剤供給手段５０の一例が構成され、そして１３、１５〜１７、２５〜５６などにより、希釈液剤供給装置５８の一例が構成される。
【００２４】
図３に示すように、上記複数の貯液タンク５２は、洗車機内に上下２段（上下複数段）に配置され、上段である上部載置台６１に、前後方向（相対移動方向）に貯液タンク５２Ａ，５２Ｃが設けられ、下段である下部載置台６２に、前後方向に貯液タンク５２Ｂ，５２Ｄが設けられている。また下部載置台６２の上面には、前後方向とは直角な左右方向にレール部材６３が設けられ、貯液タンク５２Ｂ，５２Ｄの底面には被レール部材６４が設けられており、最も上段以外の貯液タンク、すなわち貯液タンク５２Ｂ，５２Ｄが、左右方向に引き出し可能に構成されている。なお、上記レール部材６３および上記被レール部材６４によりレール手段６５が形成されている。また各貯液タンク５２Ａ〜５２Ｄはそれぞれ、液剤の供給口５９が洗車機内部側に位置するように載置台６１，６２に載置される。
【００２５】
この構成により、供給口５９の上方、すなわち上段の貯液タンク５２Ａ，５２Ｃと下段の貯液タンク５２Ｂ，５２Ｄとの間にスペースを必要とすることがなくなり、各段の貯液タンク５２を上下方向において近接して配置することが可能となるため、上下方向における各貯液タンク５２間の間隔は大幅に狭くなる。
【００２６】
また前記各貯液タンク５２は、液剤の分配を行う分配手段（水パネル）２５とそれぞれ配管５３を介して接続され、貯留している液剤を吸い上げて配管５３を介して分配手段２５へ送る液剤ポンプ５４が設けられ、最も上段以外の貯液タンク、すなわち貯液タンク５２Ｂ，５２Ｄに設けられた液剤ポンプ５４および配管５３ａは、貯液タンク５２Ｂ，５２Ｄとともに引き出し可能とされている。これにより、液剤ポンプ５４から貯液タンク５２Ｂ，５２Ｄへ延びる配管５３ａは最短距離に形成される。
【００２７】
以下に、上記した実施の形態における作用を説明する。
洗車を行うに際して、まず被洗浄車両５を停止させた状態で運転者または作業者が操作パネル６０を操作し、以て希望する一つの洗車コース（洗浄条件）が設定される。この状態で操作パネル６０に設けられている洗車スタートスイッチ（図示せず）をオン操作することで、洗車機本体１０を往復走行させながら、回転により拡がった各ブラシ２１，２２，２３の接近離間動、洗浄水ノズル１２，１４を介しての水（洗浄水）Ｗの供給、洗剤ノズル１３，１６を介しての希釈した洗剤（希釈液剤の一例）ｂの供給、撥水コート剤ノズル１５を介しての希釈した撥水コート剤（希釈液剤の一例）ｃの供給、ワックスノズル１７を介しての希釈したワックス（希釈液剤の一例）ｄの供給、ならびに両ノズル１９からの風の吹き付け、などを適宜に組合せて作動させ、以て被洗浄車両５に対する所期の洗車工程と乾燥工程とが行えることになる。
【００２８】
このように、被洗浄車両５の洗車を行う際、各貯液タンク５２の液剤は、各貯液タンク５２に設けられた液剤ポンプ５４によって分配手段２５へ吸い上げられ、分配手段２５で水により希釈された後、各ノズル１３，１５，１６，１７より噴霧される。
【００２９】
上述したように液剤ポンプ５４は貯液タンク５２Ｂ，５２Ｄに設けられ、配管５３ａは貯液タンク５２Ｂ，５２Ｄとともに引き出し可能とされているため、配管５３ａは最短距離に形成することができ、また上下方向における各貯液タンク５２間の間隔を大幅に狭くすることができるため、分配手段２５から貯液タンク５２Ｂ，５２Ｄまでの配管５３全体の長さは最短距離に形成される。
【００３０】
これにより、水供給手段２６から主給水ホース２９を介して送られてくる水が分配手段２５へ到達する時間と、各貯液タンク５２から配管５３を介して送られてくる液剤が分配手段２５へ到達する時間との時間差は大幅に減縮される。
【００３１】
そして、被洗浄車両５に対する洗車を行った後に各貯液タンク５２の液剤が無くなった場合、各貯液タンク５２に対して液剤の補給を行う。
上部載置台６１に載置された貯液タンク５２Ａ，５２Ｃに対して洗剤Ｂを補給する際は、貯液タンク５２Ａ，５２Ｃの供給口５９より洗剤Ｂが補給される。
【００３２】
次に、下部載置台６２に載置された貯液タンク５２Ｂに対して撥水コート剤Ｃを補給、同じく下部載置台６２に載置された貯液タンク５２Ｄに対してワックスＤを補給する際は、図４に示すように、レール手段６５を介して左右方向に引き出し可能な貯液タンク５２Ｂ，５２Ｄを移動させ、貯液タンク５２Ｂ，５２Ｄの供給口５９を外方に位置させる。
【００３３】
このように、レール手段６５を用いることにより、貯液タンク５２Ｂ，５２Ｄの供給口５９を外方に位置させることができるため、供給ボトル７１による貯液タンク５２Ｂに対する撥水コートＣの補給、および貯液タンク５２Ｄに対するワックスＤの補給は、無理な姿勢を取ることなく容易に行われる。
【００３４】
以上のように実施の形態によれば、最も上段以外の貯液タンク、すなわち貯液タンク５２Ｂ，５２Ｄを左右方向に引き出し可能とすることにより、上段の貯液タンク５２Ａ，５２Ｃと下段の貯液タンク５２Ｂ，５２Ｄとの間にスペースを必要とすることがなくなり、各段の貯液タンク５２を上下方向において近接して配置することが可能となるため、洗車機本体１０内における貯液タンク５２の占有スペースを小さくすることができる。
【００３５】
また、実施の形態によれば、レール手段６５を介して左右方向に引き出し可能な貯液タンク５２Ｂ，５２Ｄを移動させ、貯液タンク５２Ｂ，５２Ｄの供給口５９を外方に位置させることにより、供給ボトル７１による貯液タンク５２Ｂ，５２Ｄに対する撥水コートＣおよびワックスＤの補給を、無理な姿勢を取ることなく容易に行うことができる。
【００３６】
また、実施の形態によれば、水供給手段２６から主給水ホース２９を介して送られてくる水が分配手段２５へ到達する時間と、各貯液タンク５２から配管５３を介して送られてくる液剤が分配手段２５へ到達する時間との時間差を大幅に減縮することができるため、各ノズル１３，１５，１６，１７から希釈された液剤を被洗浄車両５へ確実に噴霧することができ、したがって液剤の効果が出ることを早めることができる。
【００３７】
なお、本実施の形態では、洗車機本体１０のみを移動させ、洗車機本体１０と被洗浄車両５を相対移動させて、被洗浄車両５の洗車を行う形式が示されているが、これは洗車機本体１０を固定状態とし、ローラコンベヤ（車両移動手段）などを用いて被洗浄車両５を前後に移動させて、相対移動するようにした形式などであってもよい。また、洗車機本体１０を、洗浄手段を備えた前部本体と乾燥手段を備えた後部本体とに分離し、これら前部本体と後部本体とを各別に移動可能とした形式などであってもよい。
【００３８】
また本実施の形態では、液剤供給手段５０により、第１洗剤ノズル１３側に洗剤Ｂを、撥水コート剤ノズル１５側に撥水コート剤Ｃを、第２洗剤ノズル１６側に洗剤Ｂを、ワックスノズル１７側にワックスＤを、それぞれ供給する形式を示しているが、これは液剤供給手段５０が、いずれか１つのみの供給に、あるいは適宜の組み合わせによる２つの供給に使用される形式などであってもよい。
【００３９】
また本実施の形態において、主給水ホース２９、副給水ホース３２〜３７、および配管５３は、可撓性ホース（チューブ）または剛性ホース（金属管）のいずれであってもよく、また両者を適宜に接続したものであってもよい。
【００４０】
また本実施の形態では、アーチ状のノズル１２〜１７が採用されているが、これは両側に縦直線状に、または上部に横直線状に配設された形式などであってもよい。
また本実施の形態では、最も上段以外の貯液タンク５２Ｂ，５２Ｄに液剤の補給を行う際、貯液タンク５２Ｂ，５２Ｄを左右方向に引き出し可能としていたが、これに限るものではなく、左右方向以外の水平方向（たとえば前後方向）に引き出し可能としてもよい。
【００４１】
また本実施の形態では、最も上段以外の貯液タンク５２Ｂ，５２Ｄに液剤の補給を行う際、貯液タンク５２Ｂ，５２Ｄを洗車機内部側（洗車機のトンネル側）における左右方向に引き出し可能としていたが、これに限るものではなく、洗車機外部側（洗車機の外側、すなわちトンネルと反対側）における左右方向に引き出し可能としてもよい。
【図面の簡単な説明】
【００４２】
【図１】本発明の実施の形態における洗車機の側面図である。
【図２】同洗車機における配管状態の概略説明図である。
【図３】同洗車機の要部を示す図であり、（ａ）は側面図、（ｂ）は正面図である。
【図４】同洗車機の液剤供給手段の概略構成図であり、（ａ）は貯液タンク収納時、（ｂ）は貯液タンクへの液剤供給時を示す図である。
【符号の説明】
【００４３】
５    被洗浄車両
１０    洗車機本体
５２    貯液タンク
５３    配管
５４    液剤ポンプ
Ｗ    水
Ｂ    洗剤（液剤）
Ｃ    撥水コート剤（液剤）
Ｄ    ワックス（液剤）
【図１】
2005186820.tif 000003
【図２】
2005186820.tif 000004
【図３】
2005186820.tif 000005
【図４】
2005186820.tif 000006